(57)【特許請求の範囲】
【請求項１】
画像を表示する電子アルバム装置であって、
前記画像を格納する格納部と、
前記画像を表示する第１及び第２の表示部と、
前記第１の表示部を囲む第１のフレーム及び前記第２の表示部を囲む第２のフレームとを有するフレーム部と、
前記第１のフレームと前記第２のフレームとの間に設けられた蝶番機構に取り付けられ、前記表示部に表示される前記画像を提示する開口部を有する手めくり可能な画像切替部と、
前記画像切替部による前記画像の切替えに基づいて、前記第１又は第２の表示部の少なくともいずれか一方に表示させるべき前記画像を前記格納部から選択して読み出す表示制御部と
を備える電子アルバム装置。
【請求項２】
前記画像切替部が前記第１の表示部側に切り替えられている第１の状態と、該画像切替部が前記第２の表示部側に切り替えられている第２の状態と、該第１及び第２の状態のいずれでもない第３の状態とを検出する検出部を備え、
前記表示制御部は、前記検出部の検出した各状態に応じて、異なる前記画像の組み合わせで前記画像を前記第１及び第２の表示部に表示させる請求項１に記載の電子アルバム装置。
【請求項３】
前記表示制御部は、前記画像切替部が前記第１の状態から前記第２の状態に切り替えられる過程において、前記第３の状態のときには、前記第１の表示部に表示されていた前記画像を前記第２の表示部に表示させるとともに、前記格納部から新規な前記画像を更新し読み出して前記第１の表示部に表示させ、さらに前記第２の状態に切り替えられた後には、前記新規な画像を前記第２の表示部に表示させるとともに、前記格納部からさらに新規な前記画像を更新し読み出して前記第１の表示部に表示させる請求項２に記載の電子アルバム装置。
【請求項４】
前記表示制御部は、前記第３の状態においては、前記第１の状態において前記第２の表示部に表示すべき前記画像を該第２の表示部に表示させ、前記第２の状態において前記第１の表示部に表示すべき前記画像を該第１の表示部に表示させる請求項２に記載の電子アルバム装置。
【請求項５】
画像を表示する電子アルバム装置であって、
前記画像を格納する格納部と、
前記画像を表示する第１及び第２の表示部と、
前記表示部に表示される前記画像を切り替える機能を有する画像切替部と、
前記格納部から読み出した前記画像の縮小画像を生成する縮小画像取得部と、
前記画像切替部による前記画像の切替えに基づいて、前記第１又は第２の表示部の少なくとも一方に表示された前記画像を切り替えるとともに、前記第１及び第２の表示部のいずれにも表示されていない新たな前記画像の前記縮小画像を前記縮小画像取得部に生成させ、該縮小画像を前記一方の表示部における一部の表示領域に表示させる表示制御部と
を備える電子アルバム装置。
【請求項６】
前記表示制御部は、前記画像に関する少なくとも一部の所定の情報を前記表示部に一覧表示させる請求項５に記載の電子アルバム装置。
【発明の詳細な説明】
【０００１】
【発明の属する技術分野】
本発明は、画像を表示する電子アルバム装置に関する。
【０００２】
【従来の技術】
デジタルカメラ等で撮影された画像等は、メモリカードや磁気ディスク等の記録媒体に格納される。記録媒体に格納された画像等は、電子アルバム装置に取り込まれる。電子アルバム装置は、読み出した画像等を電子アルバムの形式でディスプレイに表示する。
【０００３】
【発明が解決しようとする課題】
しかし、電子アルバム装置のユーザにとって、書籍のアルバムのように複数の画像の前後関係を把握しながら電子アルバムの画像を閲覧することは困難であった。そこで本発明は、上記の課題を解決することのできる電子アルバム装置を提供することを目的とする。この目的は特許請求の範囲における独立項に記載の特徴の組み合わせにより達成される。また従属項は本発明の更なる有利な具体例を規定する。
【０００４】
【課題を解決するための手段】
即ち、本発明の第１の形態によると、画像を表示する電子アルバム装置は、画像を格納する格納部と、画像を表示する第１及び第２の表示部と、第１の表示部を囲む第１のフレーム及び第２の表示部を囲む第２のフレームとを有するフレーム部と、第１のフレームと第２のフレームとの間に設けられた蝶番機構に取り付けられ、表示部に表示される画像を提示する開口部を有する手めくり可能な画像切替部と、画像切替部による画像の切替えに基づいて、第１又は第２の表示部の少なくともいずれか一方に表示させるべき画像を格納部から選択して読み出す表示制御部とを備える。ここでいう画像は、静止画像だけでなく動画像も含む。
【０００５】
電子アルバム装置は、画像切替部が前記第１の表示部側に切り替えられている第１の状態と、画像切替部が前記第２の表示部側に切り替えられている第２の状態と、第１及び第２の状態のいずれでもない第３の状態とを検出する検出部を備えるとともに、表示制御部は、検出部の検出した各状態に応じて、異なる画像の組み合わせで画像を第１及び第２の表示部に表示させてもよい。
【０００６】
前記表示制御部は、画像切替部が第１の状態から第２の状態に切り替えられる過程において、第３の状態のときには、第１の表示部に表示されていた画像を第２の表示部に表示させるとともに、格納部から新規な画像を更新し読み出して第１の表示部に表示させ、さらに第２の状態に切り替えられた後には、新規な画像を第２の表示部に表示させるとともに、格納部からさらに新規な画像を更新し読み出して第１の表示部に表示させてもよい。
【０００７】
前記表示制御部は、第３の状態においては、第１の状態において第２の表示部に表示すべき画像を第２の表示部に表示させ、第２の状態において第１の表示部に表示すべき画像を第１の表示部に表示させてもよい。
【０００８】
また本発明の第２の形態によると、画像を表示する電子アルバム装置は、画像を格納する格納部と、画像を表示する第１及び第２の表示部と、表示部に表示される画像を切り替える機能を有する画像切替部と、画像切替部が第２の表示部側に切り替えられたときに、第１の表示部に表示されていた画像を第２の表示部に表示させるとともに、格納部から新規な画像を読み出して第１の表示部に表示させる表示制御部とを備える。
【０００９】
電子アルバム装置は、それぞれ前記第１又は第２の表示部に表示される前記画像を前記格納部から受け取って格納する２つの表示用メモリと、画像切替部による画像の切替えに基づいて、表示用メモリのそれぞれから第１及び第２の表示部に送られるべき画像を切り替えるデータ切替部とを備えてもよい。
【００１０】
また本発明の第３の形態によると、画像を表示する電子アルバム装置は、画像を格納する格納部と、画像を表示する第１及び第２の表示部と、表示部に表示される画像を切り替える機能を有する画像切替部と、格納部から読み出した画像の縮小画像を生成する縮小画像取得部と、画像切替部による画像の切替えに基づいて、第１又は第２の表示部の少なくとも一方に表示された画像を切り替えるとともに、新たな画像の縮小画像を縮小画像取得部に生成させ、縮小画像を一方の表示部における一部の表示領域に表示させる表示制御部とを備える。
【００１１】
表示制御部は、第１及び第２の表示部のいずれにも表示されていない画像の縮小画像を表示部における一部の表示領域に表示させてもよい。あるいは表示制御部は、画像に関する少なくとも一部の所定の情報を表示部に一覧表示させてもよい。
【００１２】
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。以下、図面を参照して本発明の実施の形態について説明する。
【００１４】
図１は、第１実施形態に係る電子アルバム装置１００の機能ブロック図である。電子アルバム装置１００は、表示部１５０と、表示部１５０を囲むフレーム部と、画像切替部１３０と、検出部１４０と、表示制御部１２０と、入力部１１０と、格納部１６０とを備える。
【００１５】
表示部１５０は、画像を表示する第１の表示部１５２及び第２の表示部１５４を有する。表示部１５２、１５４は、例えばＣＲＴデイスプレイや液晶ディスプレイ等である。
【００１６】
入力部１１０は、記録媒体１０から画像等を読み出すデータ読出装置（不図示）を有する。この記録媒体は、例えばＥＥＰ−ＲＯＭ等のメモリカード、ＣＤ−ＲＯＭ等の光記録媒体、ＭＯ等の光磁気記録媒体である。これらの記録媒体から画像を読み出すデータ読出装置は、例えばメモリカード読取装置、ＣＤ−ＲＯＭドライブ、ＭＯドライブである。
【００１７】
画像切替部１３０は、表示部１５２、１５４に表示される画像の切替えを行う。検出部１４０は、画像切替部１３０による画像の切替え状態を検出する。
【００１８】
表示制御部１２０は、入力部１１０から受け取った画像や各種電子データを格納部１６０に格納させる。表示制御部１２０は、画像切替部１３０による画像の切替えに基づいて、第１の表示部１５２又は第２の表示部１５４の少なくともいずれか一方に表示させるべき画像を格納部１６０から選択して読み出す。
【００１９】
また表示制御部１２０は、検出部１４０の検出情報に応じて画像を切り替える。このとき表示制御部１２０は、検出部１４０の検出した各状態に応じて、異なる画像の組み合わせで画像を第１の表示部１５２及び第２の表示部１５４に表示させる。
【００２０】
音声処理部１７０は、例えばマウス等の指示部（不図示）の指示に基づいて格納部１６０に格納された各種電子データから音声情報を読み出す。音声処理部１７０は、読み出した音声情報の示す音声をスピーカ１７５から出力させる。なお音声情報は、例えば表示する画像に関連づけられた情報である。
【００２１】
図２は、第１実施形態に係る電子アルバム装置１００の斜視図である。電子アルバム装置１００は、回転軸１０６によって開閉できる構造を備える。電子アルバム装置１００は、互いに隣接した第１の表示部１５２と第２の表示部１５４とを備える。表示部１５０は、フレーム部によって囲まれている。フレーム部は、第１の表示部１５２を囲む第１のフレーム１０２と、第２の表示部１５４を囲む第２のフレーム１０４とを有する。なお第１のフレーム１０２と第２のフレーム１０４は、別体であってもよいし、一体であってもよい。例えば第１のフレーム１０２及び第２のフレーム１０４は、それぞれ別体のディスプレイを囲む別々のフレームであってもよい。また第１のフレーム１０２及び第２のフレーム１０４は、１つのディスプレイを２つの表示領域に分ける一つのフレーム部の構成部分であってもよい。従って、上述した第１の表示部１５２及び第２の表示部１５４は、例えばそれぞれ別体の表示デバイスであってもよいし、一つの表示デバイスにおける２つの表示領域であってもよい。
【００２２】
画像切替部１３０は、手めくり可能な構造を有する。画像切替部１３０は、第１のフレームと第２のフレームとの間に設けられた蝶番機構１３８に取り付けられ、表示部１５０に表示される画像を提示する開口部１３４を有する。この開口部１３４は、第１の表示部１５２等に表示される画像が隠れない程度の大きさであることが好ましい。画像切替部１３０は、手めくり可能なめくり部材１３２を有する。めくり部材１３２は、書籍のページをめくる（書籍の用紙をめくる）ように、蝶番機構１３８を回転軸として第１の表示部１５２又は第２の表示部１５４のそれぞれの側に回転する。めくり部材１３２は、めくり部材１３２を識別するための識別マーク１３６を有する。
【００２３】
また画像切替部１３０は、書籍の複数の用紙に対応するように複数のめくり部材１３２を有してもよい。このめくり部材１３２は、画像切替部１３０に対して取り付け及び取り外すことができる。例えばユーザは、画像切替部１３０に表示する画像数と同数のめくり部材１３２を取り付けてもよい。各めくり部材１３２は、それぞれを識別する識別マーク１３２を有することが好ましい。このように複数のめくり部材１３２を設けることによって、ユーザは書籍のページをめくるように画像を切り替えることができる。また、ユーザは、複数のめくり部材１３２を見たり触れたりすることによって、全体の画像の中で現在見ている画像の順番を認識することができる。
【００２４】
検出部１４０の一例である検出センサ１４２は、画像切替部１３０のめくり部材１３２が左側にある第１の表示部１５２に来た場合に、めくり部材１３２の識別マーク１３２を検出可能な位置に設けられている。また検出センサ１４４は、画像切替部１３０のめくり部材１３２が右側にある第２の表示部１５４に来た場合に、めくり部材１３２の識別マーク１３２を検出可能な位置に設けられている。
【００２５】
検出センサ１４２、１４４は、めくり部材１３２の識別マーク１３６を検出する。表示制御部１２０は、検出センサ１４２，１４４の検出情報に基づいて表示部１５０に表示させる画像を選択する。例えば表示制御部１２０は、検出した識別マークに対応する画像を選択して表示させる。また検出部１４０は、例えば回転軸１０６の内部に画像切替部１３０の回転角度を検出する角度センサ（不図示）であってもよい。この場合に表示制御部１２０は、検出した回転角度に応じて画像を選択して表示させる。
【００２６】
次に電子アルバム装置１００における画像を表示する動作の一例について、図２を参照して説明する。以下の説明は、ユーザが画像切替部１３０を第１の表示部１５２側から第２の表示部１５４側に移動する場合である。画像切替部１３０が第１の表示部１５２側に切り替えられている第１の状態において、第１の表示部１５２は、画像Ｂを表示する。また第２の表示部１５４は、画像Ａを表示する。
【００２７】
画像切替部１３０が第１の状態から第２の状態に切り替えられる過程における第３の状態のときには、表示制御部１２０は第１の表示部１５２に表示されていた画像Ｂを第２の表示部１５４に表示させる。また表示制御部１２０は、格納部１６０から新規な画像Ｃを更新し読み出して第１の表示部１５２に表示させる。
【００２８】
続いて画像切替部１３０が第２の状態に切り替えられた後に、表示制御部１２０は新規な画像Ｃを第２の表示部１５４に表示させる。また表示制御部１２０は、格納部１６０からさらに新規な画像Ｄを更新し読み出して第１の表示部１５２に表示させる。なお画像Ａ、Ｂ、Ｃ、Ｄは、この順に表示部１５２、１５４に表示されるべき画像である。なお第１の状態は、第１の表示部１５２に画像切替部１３０が接触している状態だけでなく、第１の表示部１５２の近傍に画像切替部１３０がある状態を含む。第２の状態についても同様である。
【００２９】
続いて電子アルバム装置１００における画像を表示する動作の別の例について、図２を参照して説明する。ところで書籍のページを示す画像Ａ、Ｂ、Ｃ、Ｄがこの順に並んでいるとする。例えば書籍を開いたとき、書籍の右側に画像Ａが、左側に画像Ｂがある。この場合に画像Ｂが写っている用紙を左側から右側にめくる。用紙がめくられると、書籍の右側に画像Ｃが、左側に画像Ｄが来る。また用紙をめくる途中においては、めくっている用紙の右側面に画像Ｂ、左側面に画像Ｃがある。従って用紙をめくっている途中では、書籍の右側に画像Ａが、書籍の左側に画像Ｄが来る。
【００３０】
そこで上述の書籍の場合と同様に、画像切替部１３０が第１の表示部１５２側に切り替えられている第１の状態では、第１の表示部１５２は、画像Ｂを表示する。また第２の表示部１５４は、画像Ａを表示する。また画像切替部１３０が第２の状態になった後では、第１の表示部１５２は、画像Ｄを表示する。第２の表示部１５４は、画像Ｃを表示する。
【００３１】
画像切替部１３０が第１の状態から第２の状態に切り替えられる過程における第３の状態は、書籍の場合の用紙を左側から右側にめくっている途中に対応する状態である。
【００３２】
この第３の状態において、表示制御部１２０は、めくられる前の第１の状態において第２の表示部１５４に表示されていた画像Ａをそのまま表示すべき画像として第２の表示部１５４に表示させる。また表示制御部１２０は、めくられた後の第２の状態において第１の表示部１５２に表示される画像Ｄを第１の表示部１５２に表示させる。従って書籍と同様に、右側の第２の表示部１５４には画像Ａが表示され、左側の第１の表示部１５２には画像Ｄが表示される。
【００３３】
以上のように電子アルバム装置１００は、画像切替部１３０に基づいて表示部１５０に表示させる画像を選択する。従ってユーザは、電子アルバム装置１００において書籍のページを実際にめくっているように前後関係を把握しながら画像を見ることができる。また画像切替部１３０は、第３の状態にあるときに、第１の表示部１５２に表示された画像Ｂ及び第２の表示部１５４に表示された画像Ａをそれぞれ画像Ｄ及び画像Ｃに同時に切り替えてもよい。
【００３４】
なお、上述の説明のおける第１の表示部１５２と第２の表示部１５４の役割を入れ替えることによって、画像切替部１３０を逆方向に動かした場合の画像の切り替えについても同様に説明することができる。
【００３５】
なお表示部１５２、１５４は、表示する画像に関連する文字情報を表示する文字表示領域１５２ａ、１５４ａを有してもよい。この文字情報は、例えば画像のタイトル、撮影条件、画像番号等の情報である。なお文字情報は、表示部１５２、１５４とは別に設けられた表示デバイスに表示されてもよい。また表示する画像又は文字情報に関連づけられた音声情報がある場合には、音声処理部１７０は、例えばユーザの指示に基づいて音声情報の示す音声をスピーカ１７５から出力させる。音声処理部１７０は、画像や文字情報の表示タイミングと合わせて自動的に音声情報の示す音声をスピーカ１７５から出力させてもよい。また表示制御部１２０は、画像に関連づけられた音声情報があるときに、画像に関連づけられた音声情報があることを示す表示マーク等を画像とともに表示部１５２、１５４や文字表示領域１５２ａ、１５４ａに表示させる。表示制御部１２０は、音声情報に付帯する日付、題名等の属性情報を文字表示部１５２ａ、１５４ａに表示させてもよい。
【００３６】
図３は、第２実施形態に係る電子アルバム装置２００の正面図である。以下では、本実施形態が第１実施形態と異なる点を説明する。電子アルバム装置２００は、第１の表示部２５２と、第２の表示部２５４と、第３の表示部２５６と、第４の表示部２５８とを備える。これらの表示部２５２等は、それぞれ別体の表示デバイスを並べて作成されてもよい。またこれらの表示部２５２等は、１つの大きな表示部をフレーム部で４つに区切ることによって作成されてもよい。また本実施形態の画像切替部２３０は、ユーザの指示に基づいて第１の表示部２５２等に表示される画像を切り替える機能を有する。なお本実施形態の電子アルバム装置２００は、図１に示した検出部１４０を有さない。
【００３７】
図３（ａ）に示すように、第１の表示部２５２は画像Ｃを、第２の表示部２５４は画像Ａを、第３の表示部２５６は画像Ｄを、第４の表示部２５８は画像Ｂをそれぞれ表示している。図３（ｂ）は、画像切替部２３０が第２の表示部２５４側に切り替えられた後の画像の表示状態を示す。この第２の表示部２５４側への画像の切替えは、例えば画像切替部２３０のボタン２３２を押すことによって行われる。
【００３８】
図３（ａ）の状態でユーザがボタン２３２を押すと、電子アルバム装置２００は、第１の表示部２５２に表示されていた画像Ｃを第２の表示部２５４に表示させる。同様に電子アルバム装置２００は、第３の表示部２５６に表示されていた画像Ｄを第４の表示部２７８に表示させる。
【００３９】
さらに、表示制御部１２０は、画像Ｃが表示されていた第１の表示部２５４に対して、格納部１６０から新規な画像Ｅを読み出して表示させる。また表示制御部１２０は、画像Ｄが表示されていた第３の表示部２５６に対して、格納部１６０から新規な画像Ｆを読み出して表示させる。従って、ボタン２３２を押した後の画像の表示状態は、図３（ｂ）になる。
【００４０】
なお、上述の説明では、電子アルバム装置２００の左側から右側に画像を移動する場合を説明した。逆方向に画像を移動させる場合は、上述した第１の表示部２５２と第２の表示部２５４の役割りを入れ替え、第３の表示部２５６と第４の表示部２５８の役割りを入れ替えればよい。
【００４１】
図４は、図３に示した第２実施形態に係る電子アルバム装置２００の機能ブロック図である。本図では、図３で説明した画像の切替えを実現する機能ブロックについて説明する。以下は、図３（ａ）（ｂ）における上半分の画面である第１及び第２の表示部２５２、２５４に表示用メモリ２６２を用いた例である。電子アルバム装置２００は、データ切替部２６０と、表示用メモリ２６２とを備える。表示用メモリ２６２は、第１の表示用メモリ２６４と、第２の表示用メモリ２６６とを有する。第１の表示用メモリ２６４と第２の表示用メモリ２６６は、別々の表示用メモリデバイスで形成されてもよい。また第１の表示用メモリ２６４と第２の表示用メモリ２６６は、１つの表示メモリデバイスを２つの領域に分けることによって形成されてもよい。
【００４２】
第１及び第２の表示用メモリ２６４、２６６は、それぞれ第１又は第２の表示部２５２、２５４に表示される画像を格納部１６０から受け取って格納する。データ切替部２６０は、画像切替部２３０による画像の切替えに基づいて、表示用メモリ２６４、２６６のそれぞれから第１の表示部２５２及び第２の表示部２５４に送られるべき画像を切り替える。
【００４３】
次に表示用メモリ２６２を使用した画像の切替え方法の一例について説明する。第１の表示用メモリ２６４は、まず画像Ｃを格納する。データ切替部２６０は、第１の表示用メモリ２６４から画像Ｃを受け取って第１の表示部２５２に送る。同様に第２の表示用メモリ２６６は、画像Ａを格納する。データ切替部２６０は、第２の表示用メモリ２６６から画像Ａを受け取って第２の表示部２５４に送る。これにより画面表示は、図３（ａ）の状態になる。
【００４４】
ユーザが画像切替部２３０のボタン２３２を押した場合、データ切替部２６０は、第１の表示用メモリ２６４が格納している画像Ｃを第２の表示部２５４に切り替えて送る。第２の表示部２５４は、画像Ａを画像Ｃに切り替えて表示する。
【００４５】
一方表示制御部１２０は、新たな画像Ｅを格納部１６０から読み出して第２の表示用メモリ２６６に送る。第２の表示用メモリ２６６は、画像Ａを画像Ｅに切り替えて表示する。データ切替部２６０は、第２の表示用メモリ２６６が格納している画像Ｅを第１の表示部２５２に切り替えて送る。従って第１の表示部２５２では、画像Ｃを画像Ｅに切り替えて表示する。従って画面表示は、図３（ｂ）の状態になる。
【００４６】
ところで画像の切替え時に上述したデータ切替部２６０が無いと、表示制御部１２０は、第１の表示部２５２に表示する画像を格納部１６０から読み出し、第２の表示部２５４に表示させる画像を格納部１６０から読み出す。これに対して本図のようにデータ切替部２６０があると、表示制御部１２０は、切り替えられた一方の画像を新たに格納部１６０から読み出すだけでよい。従って、画像の表示速度が向上する。
【００４７】
なお逆方向に画像を移動させる場合は、上述した第１の表示部２５２と第２の表示部２５４との役割りを入れ替えればよい。また第３の表示部２５６及び第４の表示部２５８に対しても上述と同様な表示用メモリ及びデータ切替部を設けることが好ましい。なお上記の説明では、２つの表示部に対して２つの表示用メモリを使用する例を説明したが、表示部及び表示用メモリの数は図に限定されるものではない。
【００４８】
図５は、第３実施形態に係る電子アルバム装置３００の機能ブロック図である。本実施形態の電子アルバム装置３００は、画像切替部２３０の構造が図２に示した第１実施形態の電子アルバム装置１００とは異なる。その他の構造は、図２と同様である。電子アルバム装置３００は、縮小画像取得部３６０を備える。また電子アルバム装置３００は、検出部１４０を有していない。その他の点においては、本実施形態は第１実施形態と同様である。以下では、本実施形態と第１実施形態との相違点について説明する。
【００４９】
縮小画像取得部３６０は、格納部１６０から読み出した画像の縮小画像を生成する。画像切替部３３０は、表示部１５０に表示される画像を切り替える機能を有する。
【００５０】
表示制御部１２０は、画像切替部３３０による画像の切替えに基づいて、第１の表示部３５２又は第２の表示部３５４の少なくとも一方に表示された画像を切り替える。また表示制御部１２０は、新たな画像の縮小画像を縮小画像取得部３３０に生成させる。この新たな画像は、切り替えるために選択された画像とは少なくとも異なる画像である。表示制御部１２０は、生成された縮小画像を上述の一方の表示部における一部の表示領域に表示させる。この一部の表示領域は、例えば表示部内に設けられた表示領域である。なお縮小画像は、第１の表示部３５２等とは別の表示デバイスに表示されてもよい。
【００５１】
なお格納部１６０は、表示すべき画像とその縮小画像を対応づけて格納しておいてもよい。この場合に縮小画像取得部３６０は、表示すべき画像に対応する縮小画像を格納部１６０から読み出すことによって縮小画像を取得する。
【００５２】
図６は、第３実施形態に係る電子アルバム装置３００の正面図である。電子アルバム装置３００は、第１の表示部３５２と、第２の表示部３５４と、第３の表示部３５６と、第４の表示部３５８とを備える。また各表示部３５２等は、縮小画像取得部３６０によって生成された画像の縮小画像を表示部３５２等における一部の表示領域３７２等に表示させる。
【００５３】
図６（ａ）に示すように、第１の表示部３５２は画像Ｃを、第２の表示部３５４は画像Ａを、第３の表示部３５６は画像Ｄを、第４の表示部３５８は画像Ｂをそれぞれ表示する。また表示領域３７２は縮小画像Ｇを、表示領域３７４は縮小画像Ｅを、表示領域３７６は縮小画像Ｈを、表示領域３７８は縮小画像Ｆをそれぞれ表示する。なお画像Ａ、Ｂ、Ｃ・・・はこの順に表示されるべき画像である。
【００５４】
図６（ｂ）は、画像切替部３３０が第２の表示部３５４側に切り替えられたときの画像の表示状態を示す。ユーザが画像切替部３３０のボタン３３２を押すと、表示制御部１２０は、表示部３５２等にそれぞれ表示されていた画像Ｃ、Ａ、Ｄ、Ｂを画像Ｇ、Ｅ、Ｈ、Ｆにそれぞれ切り替える。また表示制御部１２０は、表示部３５２等いずれにも表示されていない画像の縮小画像Ｋ、Ｉ、Ｌ、Ｊを表示領域３７２等にそれぞれ表示させる。
【００５５】
ところで表示制御部１２０は、表示部３５２等に表示されている画像Ｃ、Ａ、Ｄ、Ｂの直後の画像である縮小画像Ｇ、Ｅ、Ｈ、Ｆだけでなく、前後の縮小画像を表示領域３７２等に表示させてもよい。例えば図６（ａ）の状態でユーザがボタン３３４を押すと、縮小画像Ｇ、Ｅ、Ｈ、Ｆは、縮小画像Ｇ、Ｅ、Ｈ、Ｆの次ぎのページに対応する縮小画像Ｋ、Ｉ、Ｌ、Ｊに変わる。一方、図６（ａ）の状態でユーザがボタン３３６を押すと、縮小画像Ｇ、Ｅ、Ｈ、Ｆは、縮小画像Ｇ、Ｅ、Ｈ、Ｆの前のページ対応する縮小画像Ｃ、Ａ、Ｄ、Ｂに変わる。さらにもう一回ユーザがボタン３３６を押すと、縮小画像Ｃ、Ａ、Ｄ、Ｂは、縮小画像Ｃ、Ａ、Ｄ、Ｂの前のページに対応する縮小画像に変わる。
【００５６】
また表示制御部１２０は、画像に関する少なくとも一部の所定の情報を第１の表示部３５２等に一覧表示させてもよい。例えば表示制御部１２０は、格納部１６０に格納されている画像の縮小画像の一覧を、第１の表示部３５２に表示させてもよい。また表示制御部１２０は、画像に対応づけられた文字情報等を一覧表示させてもよい。
【００５７】
なお逆方向に画像を移動させる場合は、上述した第１の表示部３５２と第２の表示部３５４の役割りを入れ替え、第３の表示部３５６と第４の表示部３５８の役割りを入れ替えればよい。以上のように縮小画像を表示させることによって、ユーザは表示されている前後の画像を知ることができる。
【００５８】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００５９】
図７は、第２及び第３実施形態における画像切替部２３０、３３０の変形例を示す。電子アルバム装置４００は、画像切替部４３０と、検出部４５０とを備える。その他の構造は、第２及び第３実施形態の電子アルバム装置２００、３００と同様である。
【００６０】
画像切替部４３０は、第１の表示部４５２を囲む第１のフレーム４０２と第２示部４５４を囲むフレーム４０４との間にある境界線上に設けられた蝶番機構に取り付けられ、手めくり可能な機構を有する。画像切替部４３０が書籍のように手めくり可能な機構を有し画像の閲覧性を損なわない限り、画像切替部４３０の取付位置及び個数は図に限定されない。また表示部の数は、図に限定されない。
【００６１】
なお入力部１１０は、例えばインターネット等の有線通信網や、衛星通信等の無線通信網を含むネットワークを介して、画像等を外部端末等から受け取ってもよい。また入力部１１０は、マイクロフィルムを読み取って画像を受け取ってももよい。また電子アルバム装置１００の外部側面に、記録媒体を収納するためのフォルダを取り付けておけば、記録媒体の整理に役立つ。これによりユーザは、所望の記録媒体をすぐに取り出すことができる。
【００６２】
【発明の効果】
上記説明から明らかなように、本発明によれば、複数の画像の前後関係を把握しながら画像を閲覧できる。
【図面の簡単な説明】
【図１】第１実施形態に係る電子アルバム装置１００の機能ブロック図
【図２】第１実施形態に係る電子アルバム装置１００の斜視図
【図３】第２実施形態に係る電子アルバム装置２００の正面図
【図４】図３に示した第２実施形態に係る電子アルバム装置２００の機能ブロック図
【図５】第３実施形態に係る電子アルバム装置３００の機能ブロック図
【図６】第３実施形態に係る電子アルバム装置３００の正面図
【図７】第２及び第３実施形態における画像切替部２３０、３３０の変形例を示す図
【符号の説明】
１０  記録媒体
１００、２００、３００、４００  電子アルバム装置
１０２、４０２  第１のフレーム
１０４、４０４  第２のフレーム
１１０  入力部
１２０  表示制御部
１３０、２３０、３３０、４３０  画像切替部
１３２  めくり部材
１３４  開口部
１３６  識別マーク
１３８  蝶番機構
１４０  検出部
１４２、１４４  検出センサ
１５０  表示部
１５２、２５２、３５２、４５２  第１の表示部
１５４、２５４、３５４、４５４  第２の表示部
１６０  格納部
１７０  音声処理部
１７５  スピーカ
２５６、３５６  第３の表示部
２５８、３５８  第４の表示部
２６０  データ切替部
２６２  表示用メモリ
２６４  第１の表示用メモリ
２６６  第２の表示用メモリ
３６０  縮小画像取得部
３７２、３７４、３７６、３７８  表示領域
【図１】
0004213872.tif 000002
【図２】
0004213872.tif 000003
【図３】
0004213872.tif 000004
【図４】
0004213872.tif 000005
【図５】
0004213872.tif 000006
【図６】
0004213872.tif 000007
【図７】
0004213872.tif 000008